(57)【特許請求の範囲】
【請求項１】
裏面に粘着剤が塗着された基板と、該基板の表面に植設された毛髪とからなり、前記粘着剤の粘着面に、前記粘着剤よりも硬い硬度の微粉体が、粘着面の１〜７０％の面積を覆うように付着しており、該微粉体は、前記粘着剤の粘着面に付着した状態から、前記基板を頭皮に押し付ける押圧力を受けて、前記粘着剤の内部に沈み込んでゆき、前記粘着剤を粘着面に表出させる増毛用ピース。
【請求項２】
裏面に粘着剤が塗着された基板と、該基板の表面に植設された毛髪とからなり、前記粘着剤の粘着面を覆って繊維の間に前記粘着剤を通過させるのに十分な隙間を有するメッシュ状の繊維層が付着しており、該繊維層は、粘着時の押圧力によって前記粘着剤の内部に沈み込んでゆき、前記粘着剤を粘着面に表出させる増毛用ピース。
【請求項３】
前記基板の透湿度が２００ｇ／ｍ2 ２４ｈ以上、機械強度１００％モジュラスが２〜７ＭＰａである請求項１又は２に記載の増毛用ピース。
【請求項４】
前記粘着剤の透湿度が２００ｇ／ｍ2 ２４ｈ以上である請求項１〜３のいずれかに記載の増毛用ピース。
【発明の詳細な説明】
【０００１】
【発明の属する技術分野】
本発明は、増毛用ピースに関し、特に頭皮に直接接着させて使用する増毛用ピースに関する。
【０００２】
【従来の技術及び発明が解決しようとする課題】
増毛技術としては、かつらを用いる方法や、自毛の根本に人工毛髪を結着させる方法等が一般的に知られている。かつらを使用する方法は、広い面積を一度に覆うことができる反面、むれやすく、また一気に外観がかわるため不自然で、初期コスト及び維持費も高価である。人工毛髪を結着させる方法は、自毛に負担をかけることになるため、かえって脱毛を促進させることになり、また自毛は一月に約１センチ程度伸びるため、外観が不自然になりやすい。
【０００３】
これに対し、接着剤を介して頭皮に人工毛髪を直接接着させるようにした増毛技術が例えば特開平８−４１７１８号公報に記載されている。特開平８−４１７１８号公報によれば、線状物に人工毛髪を複数本結びつけたものを増毛用接着剤を介して頭皮に接着してゆくものであるが、接着した後に、結びつけた部分が玉となって指の感触で認識され、違和感を感じることになると共に、特に洗髪時や毛髪を梳かす際にとれやすい。また、接着剤を付けながら取り付けてゆく作業が面倒であると共に、接着剤が乾くまで待たなければならないため、増毛作業に長時間を要することになる。
【０００４】
本発明は、頭皮に接着させた際に違和感を感じることが少なく、安定した状態で取り付けられると共に、接着剤を別途に用いることなく迅速な増毛作業を可能にする増毛用ピースの提供を目的とする。
【０００５】
【課題を解決するための手段】
本発明は、裏面に粘着剤が塗着された基板と、該基板の表面に植設された毛髪とからなり、前記粘着剤の粘着面に、前記粘着剤よりも硬い硬度の微粉体が、粘着面の１〜７０％の面積を覆うように付着しており、該微粉体は、前記粘着剤の粘着面に付着した状態から、前記基板を頭皮に押し付ける押圧力を受けて、前記粘着剤の内部に沈み込んでゆき、前記粘着剤を粘着面に表出させる増毛用ピースを提供することにより、上記目的を達成したものである。また、本発明は、裏面に粘着剤が塗着された基板と、該基板の表面に植設された毛髪とからなり、前記粘着剤の粘着面を覆って繊維の間に前記粘着剤を通過させるのに十分な隙間を有するメッシュ状の繊維層が付着しており、該繊維層は、粘着時の押圧力によって前記粘着剤の内部に沈み込んでゆき、前記粘着剤を粘着面に表出させる増毛用ピースを提供することにより、上記目的を達成したものである。
【０００６】
上記記載における基板は、その大きさが例えば０．５〜２５ｍｍ2 、好ましくは１〜１６ｍｍ2 、より好ましくは１．５〜９ｍｍ2 であり、円形、矩形、正多角形等種々の形状を採用することができる。また、基板に植設される毛髪の数は例えば１〜２０本、好ましくは２〜１０本、より好ましくは３〜６本とすることができる。なお、基板の大きさ及び植設される毛髪の本数は、増毛すべき毛髪の密度等を鑑みて適宜設計することができる。
【０００７】
また、基板は、ＪＩＳ規格Ｚ０２０８カップ法による温度４０℃、湿度９０％の条件下での透湿度が２００ｇ／ｍ2 ２４ｈ以上、好ましくは５００ｇ／ｍ2 ２４ｈ以上、より好ましくは１０００ｇ／ｍ2 ２４ｈ以上であり、ＪＩＳ  Ｋ６３０１による温度４０℃の条件下での機械強度１００％モジュラスが好ましくは２〜７ＭＰａである。透湿度が２００ｇ／ｍ2 ２４ｈ以上であることにより、かゆみやかぶれの原因となるムレを防ぐことができる。また機械強度１００％モジュラスが２〜７ＭＰａであることにより、破損しにくく、また皮膚の動きに十分に追随してはがれにくくなる。
【０００８】
上記裏面に粘着剤が塗着された基板全体の厚さは、１０〜２００μｍ、好ましくは４０〜１００μｍである。厚さが１０〜２００μｍであることにより、頭皮に接着した後に指で触ってもほとんど感知することができず、違和感から開放されることになる。
【０００９】
上記記載における粘着剤は、室温、無溶剤の状態において、永続的な強い粘着性（タック性）を示し、指圧程度の圧力を受けて対象物に粘着する物質である。また、粘着剤は、水、溶剤、熱或いは化学反応による活性化を行うことなしに強い粘着性、保持性を示す物質であり、接触過程と破壊過程で物質そのものに状態変換がないものである。さらに、粘着剤は、時間の経過とともに当該粘着剤の流動変形による被着体表面での広がりが進み、平衡に達するまでは時間とともに粘着力が増大する物質である。したがって、本発明を構成する粘着剤は、接着時に水、溶剤、熱、化学反応などによる活性化が必要であり、接触過程と破壊過程で物質そのものに状態変化のあるような接着剤とは区別される物質である。
【００１０】
【発明の実施の形態】
本発明の好ましい実施形態に係る増毛用ピース１０は、毛髪の薄い部分の頭皮に直接粘着して、毛髪を増毛するために用いられる部材であって、図１に概念図として示すように、裏面に粘着剤１１が塗着された基板１２と、この基板１２の表面に植設された１本又は複数の毛髪１３とからなる。
【００１１】
また、本実施形態によれば、粘着剤１１の粘着面には、微粉体としてのマイクロビーズ１４が撒かれていることにより、当該増毛用ピース１０を使用する前に、指やその他の物が粘着剤１１に接触しないように当該粘着剤１１を保護している。
【００１２】
基板１２は、直径３ｍｍ程度の円形の平面形状を有し、延伸されていない熱可塑性エラストマーを用いて形成することが好ましい。特に好ましい材質としては、ポリウレタン又はポリエステルを用いることができ、５〜１００μｍ程度の厚さを有する。基板１２は、２００ｇ／ｍ2 ２４ｈ以上の透湿度（ＪＩＳ規格Ｚ０２０８カップ法による透湿度）と、２〜７ＭＰａ程度の機械強度（ＪＩＳ  Ｋ６３０１による機械強度１００％モジュラス）を備え、これによって頭皮の動きに追随する適度の可撓性と、複数の毛髪１３を一定期間安定して支持すると共に頭皮に負荷される物理的な荷重を受けても破損しない程度の物性を備える。また、その透湿性によって頭皮からの発汗作用に極端な影響を与えることがない。
【００１３】
粘着剤１１は、２００ｇ／ｍ2 ２４ｈ以上の透湿度（ＪＩＳ規格Ｚ０２０８カップ法による透湿度）を備えるものであれば良く、公知の種々の粘着剤を使用することができるが、好ましくは、例えばＮ−アルキル置換アクリルアミドや（メタ）アクリレート等からなるものを用いることができる。粘着剤１１は、５〜１００μｍ程度の厚さで、基板１２の裏面の全体に塗着される。これによって、裏面に粘着剤１１が塗着された基板１２は、その全体の厚さが２００μｍ程度に留まるので、増毛用ピース１０を頭皮に粘着させた際に、指で触ってもほとんど感知することができず、取り付け後の違和感から開放されることになる。ここで、粘着剤は、指圧、その透湿性によって頭皮からの発汗作用に極端な影響を与えることがない。
【００１４】
基板１２の表面に植設される毛髪１３は、人工毛髪或いは天然毛髪のいずれも使用することができるが、本実施形態によれば、例えば超音波溶融によって、１０ｃｍ程度の長さの６本の人工毛髪が植設されている。なお、植設される毛髪１３の本数や長さは、天然の毛髪の頭皮における密度や長さ等を鑑みて適宜設定することができる。
【００１５】
マイクロビーズ１４は、シリカ等からなる粒径μｍ程度の大きさの粘着剤１１よりも硬い硬度の微粉体であって、例えば乾式液晶スペーサ散布法により、粘着剤１１の粘着面の全体にわたって略１〜７０％、好ましくは１．５〜３０％、特に好ましくは２〜５％の面積を覆うように付着している。なお、マイクロビーズ１４によって粘着剤１１の粘着面を覆う面積が広すぎると、基板１２が頭皮に充分に接着しないおそれがあり、粘着面を覆う面積が狭すぎると、当該増毛用ピース１０を使用する前に、指やその他の物が粘着剤１１に接触しやすくなる。
【００１６】
マイクロビーズ１４は、増毛用ピース１０の未使用時に粘着剤１１の粘着面に付着した状態から、増毛用ピース１０の使用時において基板１２を頭皮に押し付ける押圧力を受けると、この押圧力の作用によって、図２に示すように、粘着剤１１の内部に沈み込んでゆき、粘着剤１１を粘着面に表出させることにより、当該粘着剤１１を介して基板１２を頭皮に粘着させる。
【００１７】
本実施形態の増毛用ピース１０を頭皮に粘着させる作業は、例えば図３に示すような植毛ユニット１５を用いて行われる。植毛ユニット１５は、増毛用ピース１０の毛髪１３が収容される円筒部１６と、円筒部１６の先端蓋部１７から３ｍｍ程度の長さで突出した５カ所の突出細管１８とからなる。そして、突出細管１８の先端開口から毛髪１３を円筒部１６に向けて挿入し、毛髪１３の植毛部位の周囲に位置する基板１２の表面を各突出細管１８の開口縁部に当接させると共に、粘着剤１１が塗着された基板１２の裏面を先端側に向けた状態で、５つの増毛用ピース１０が、植毛ユニット１５に各々取り付けられている。
【００１８】
なお、本実施形態によれば、植毛ユニット１５の先端蓋部１７の面積は略１ｃｍ2 であるのに対して、５カ所の突出細管１８が設けられており、各突出細管１８には、６本の毛髪１３を有する増毛用ピース１０が各々取り付けられいることから、かかる植毛ユニット１５によって、１ｃｍ2 の頭皮に対して５×６＝３０本の毛髪１３を植毛できることになる。一般に天然の毛髪の数は、１ｃｍ2 の頭皮に対して１００〜２００本とされているが、３０本／ｃｍ2 程度の密度で植毛することにより適度な隠蔽効果を得ることができる。本実施形態によれば、植毛ユニット１５を用いて増毛用ピース１０を接着させることにより、天然の毛髪に近い自然さで増毛することが可能になる。
【００１９】
また、本実施形態によれば、増毛用ピース１０の基板１２の表面には、毛髪１３の植毛部位の周囲に、粘着剤１１の粘着力よりも弱い接着力を有する仮止め用粘着剤が塗着されている。基板１２の表面を各突出細管１８の開口縁部に当接させる際に、仮止め用粘着剤を介して基板１２を当接接着することにより、各増毛用ピース１０は、植毛ユニット１５の未使用時に突出細管１８から抜け落ちないように安定した状態で仮止めされる。また植毛ユニット１５の使用時には、粘着力の強い粘着剤１１により頭皮に接着した基板１２を、各突出細管１８の開口縁部から引き剥がして、毛髪１３を円筒部１６からスムースに抜き出しつつ増毛用ピース１０による植毛ができるようになっている。なお、仮止め用粘着剤は水溶性のものを用いることが好ましい。水溶性の仮止め用粘着剤を用いることにより、増毛用ピース１０を頭皮に接着した後に、基板１２の表面側に付着したまま残った仮止め用粘着剤を洗い落として、当該粘着剤に汚れ等が付着するのを回避することができる。
【００２０】
植毛ユニット１５を用いて、増毛用ピース１０を頭皮に粘着させるには、図４（ａ）に示すように、残った天然毛髪１９を突出細管１８によりかき分けつつ、基板１２が仮止めされた突出細管１８の先端を頭皮に直接押し付ける。かかる押付けるまでの作業において、基板１２の裏面に塗着された粘着剤１１はマイクロビーズ１４によって覆われているので、周囲の天然毛髪１９に付着することがない。突出細管１８の先端を頭皮に押し付けた状態をしばらくの間保持すれば、この押圧力の作用によってマイクロビーズ１４は粘着剤１１の中に沈み込み、粘着剤１１が粘着面に表出するので、基板１２が頭皮に強固に粘着することになる。しかる後に、図４（ｂ）に示すように、植毛ユニット１５を引き上げれば、基板１２の仮止め状態が外れて、毛髪１３が円筒部１６からスムースに抜き出され、天然毛髪１９の薄くなった頭皮に速やかに増毛されることになる。
【００２１】
そして、本実施形態の増毛用ピース１０によれば、裏面に粘着剤１１が塗着された所望の厚さ及び機械強度を有する基板１２と、この基板１２の表面に植設された複数の毛髪１３とからなるので、頭皮に粘着させた際に違和感を感じることが少なく、安定した状態で取り付けられると共に、接着剤を別途に用いることなく迅速に増毛作業を行うことが可能になる。
【００２２】
また、本実施形態の増毛用ピース１０によれば、粘着剤１１を介して頭皮に粘着されるので、当該粘着剤１１の固化を待つことなく接着できると共に、粘着力が小さくなっても基板１２を指で再び頭皮に押し付けて、粘着力を回復することができ、また頭皮の表皮成分が入れ替わっても、基板１２を頭皮に押し付け直して増毛用ピース１０の粘着状態を容易に保持することができる。
【００２３】
なお、本発明は上記実施形態に限定されることなく種々の変更が可能である。例えば、増毛用ピースの使用前における粘着剤への付着を防止する手段としては、粘着面に微粉体を撒く方法に限定されることなく、その他の種々の手段を採用することができる。粘着剤の粘着面を覆ってメッシュ状の繊維層を付着させ、粘着時の押圧力によって繊維層を粘着剤に沈み込ませるようにしたものであっても良い。ここで、メッシュ状の繊維層は、繊維の間に粘着剤を通過させるのに十分な隙間を有するものであれば、必ずしも格子状のメッシュに限定されるものではない。また、本発明の増毛用ピースは、薄毛かくし等に限定されるものではなく、ファッション用つけ毛（エクステンション）、つけまつげ、つけまゆげなど、擬似毛をとりつける際にも使用することができる。なお、上記頭皮には、例えば顔の皮膚等の、頭の皮膚以外の種々の植毛対象となる皮膚が含まれる。
【００２４】
【発明の効果】
本発明の増毛用ピースによれば、頭皮に接着させた際に違和感を感じることが少なく、安定した状態で取り付けられると共に、接着剤を別途に用いることなく迅速に増毛作業を行うことができる。
【図面の簡単な説明】
【図１】本発明の一実施形態に係る増毛用ピースの構成を説明する概念図である。
【図２】本発明の一実施形態に係る増毛用ピースを頭皮に取り付けた状態を説明する概念図である。
【図３】増毛用ピースを頭皮に取り付けたる際に用いる植毛ユニットの斜視図である。
【図４】（ａ）及び（ｂ）は、植毛ユニットを用いて増毛用ピースを頭皮に取り付ける状態の説明図である。
【符号の説明】
１０  増毛用ピース
１１  粘着剤
１２  基板
１３  毛髪
１４  マイクロビーズ（微粉体）
１５  植毛ユニット
１６  円筒部
１７  先端蓋部
１８  突出細管
１９  天然毛髪
【図１】
0003877533.tif 000002
【図２】
0003877533.tif 000003
【図３】
0003877533.tif 000004
【図４】
0003877533.tif 000005